(57)【要約】      （修正有）【課題】トイレ用ドアを折り戸に交換するリフォーム工事の作業性を向上させ、工事費用を抑えるトイレ用の折り戸ユニットを提供する。【解決手段】トイレ用ドアの開口部に取り付ける折り戸ユニットであって、このユニットは、矩形を呈するアルミニウム製の枠材１０と、この枠材１０に装着した折り戸本体３０とからなる。この折り戸本体３０は、下端部に車輪を備え、上端部に、ガイド用の凹部または凸部を備え、枠材１０は、上枠１１、下枠１５、左右側枠１８に複数のビス孔を備えるとともに、下枠１５に、前記車輪を案内するガイドレール部を備え、上枠１１に、折り戸本体３０に設けたガイド用の凹部または凸部に遊嵌させる凸部または凹部のいずれか一方を備える。【選択図】図１
0003177472.tif 000002
【実用新案登録請求の範囲】
【請求項１】
ドア板の一側部を蝶番を介して開口木枠の側面に軸支させたトイレ用ドアを、折り戸に交換するための折り戸ユニットであって、
この折り戸ユニットは、
矩形を呈するアルミニウム製の枠材と、
この枠材に装着した折り戸本体とからなり、
この折り戸本体は、
下端部に車輪を備え、
上端部に、ガイド用の凹部または凸部のいずれか一方を備え、
前記枠材は、
上枠、下枠、左右側枠に複数のビス孔を備えるとともに、
下枠に、前記車輪を案内するガイドレール部を備え、
上枠に、前記折り戸本体に設けたガイド用の凹部または凸部に遊嵌させる凸部または凹部のいずれか一方を備えることを特徴とするトイレ用の折り戸ユニット。
【請求項２】
折り戸本体の下端部に設ける車輪は、逆Ｕ字状の溝部を備える座台を介して取り付け、
枠材の下枠に設けるガイドレール部は、
床面に固定する水平板材の適宜箇所から立ち上げた垂直板材と、
この垂直板材の上端から水平方向に設けたフランジ部とを備え、
このフランジ部を前記座台の溝部に遊嵌させたことを特徴とする請求項１記載のトイレ用の折り戸ユニット。
【考案の詳細な説明】
【技術分野】
【０００１】
本考案は、片持式のトイレ用のドアを、折り戸に取り替えるための折り戸ユニットに関する。
【背景技術】
【０００２】
トイレ用のドアは、ドア板の一側部を蝶番を介して開口側面に軸支させた片持式のものが多い。ドア板の右側または左側に配された把手を引いてドアを開けるタイプの開き戸である。
【０００３】
このような開き戸は、片側の蝶番を回動中心としてドア板が開くので、トイレの出入口まわりに十分な空間的余裕がないと、出入りの際にドアを開けにくいという問題がある。
【０００４】
また、福祉施設や高齢者施設では、廊下に手摺りを設ける必要があるが、片持式の開き戸、あるいは引き戸では、トイレの出入口まわりの手摺りの設置箇所が制限されることがある。
【０００５】
そこで、近時、トイレ用の開き戸を折り戸に交換する（取り替える）工事需要が増えている。折り戸は、手摺りの取り付けが制限されない利点がある。
【０００６】
従来の扉を折り戸に付け替える場合、従来は、図１０に示すように、トイレ用のドア板１を開口部３から取り外し、ドア板１を支持していた蝶番２を取り外した後、図１１に示すように、開口部３に、新しい蝶番４を介して折り戸５を固定した。６は、片持式のドア板１を軸支するために設けられていた木枠である。蝶番２、４は、この木枠６を利用して取り付ける。また、折り戸５の直線的な動きをガイドするため、木枠６の上縁にはガイド溝部材（図示せず）を設け、折り戸５の上端部に設けたランナ部材（部材）を当該ガイド溝部材に遊嵌させる。
【０００７】
従来、トイレ用の折り戸の技術としては、特許文献１に示すものがある。これは、折り戸を開けたときにトイレの開口に車いすが進入できるようにしたものである。
【先行技術文献】
【特許文献】
【０００８】
【特許文献１】特開２０１１−１９６０３４号
【考案の開示】
【考案が解決しようとする課題】
【０００９】
問題は、片開きのドアを折り戸に交換する際の工事費用が嵩む点である。
【００１０】
これは、片開きのドア板１を取り外した後に残る木枠６に、折り戸５を取り付けるに際して、折り戸５の重量に耐えるよう頑丈な蝶番４を複数個取り付けるとともに、折り戸５の重量に耐えるよう、木枠６の上縁に取り付けるガイド溝部材も頑丈なものを使用する必要があるからである。
【００１１】
そこで、本考案の目的は、トイレ用ドアを折り戸に交換するリフォーム工事の作業性を向上させ、工事費用を抑えることが出来るようにする点にある。
【課題を解決するための手段】
【００１２】
前記目的を達成するため、本考案に係るトイレ用の折り戸ユニットは、ドア板の一側部を蝶番を介して開口木枠の側面に軸支させたトイレ用ドアを、折り戸に交換するための折り戸ユニットであることを技術的前提として、矩形を呈するアルミニウム製の枠材と、この枠材に装着した折り戸本体とからなり、この折り戸本体は、下端部に車輪を備え、上端部に、ガイド用の凹部または凸部を備え、前記枠材は、上枠、下枠、左右側枠に複数のビス孔を備えるとともに、下枠に、前記車輪を案内するガイドレール部を備え、上枠に、前記折り戸本体に設けたガイド用の凹部または凸部に遊嵌させる凸部または凹部のいずれか一方を備える（請求項１）。
【００１３】
かかる構成によれば、トイレ用ドアの開口部の木枠に枠材を固定するだけで、当該枠材に装着した折り戸本体を開閉可能に設置することが出来る。重量のある折り戸本体の動きは車輪によって支持できる。開閉時の折り戸本体のぶれ（がたつき）は、折り戸本体の上端部に設けたに凹部または凸部に、枠材の上枠に設けた凸部または凹部を遊嵌（折り戸の開閉を妨げない嵌合状態）させることによって防止できる。
【００１４】
請求項２は、開閉時の折り戸本体のぶれをより確実に防止するものである。折り戸本体の下端部に設ける車輪は、逆Ｕ字状の溝部を備える座台を介して取り付け、枠材の下枠に設けるガイドレール部は、床面に固定する水平板材の適宜箇所から立ち上げた垂直板材と、この垂直板材の上端から水平方向に設けたフランジ部とを備え、このフランジ部を前記座台の溝部に遊嵌させる。
【００１５】
かかる構成によれば、車輪を支える座台は、枠材下枠のガイドレール部のフランジ部によってガイドされるので、開閉時における折り戸本体の下端部のぶれ（がたつき）は確実に防止できる。
【考案の効果】
【００１６】
本考案に係るトイレ用の折り戸ユニットによれば、トイレ用ドアの開口部の木枠にユニットの枠材を固定するだけで、当該枠材に装着した折り戸本体を開閉可能に簡単に設置することが出来る。折り戸ユニットは予め工場生産でき、リフォーム時に枠材を取り付けるだけで作業が完了するので作業時間も短縮できる。このため、トイレ用のドアを折り戸へ取り替えるリフォームをする際の工事費用を圧縮し、競争力を高めることが出来る。
【図面の簡単な説明】
【００１７】
【図１】実施形態に係る折り戸ユニットの取付例を示す図である。
【図２】実施形態に係る折り戸ユニットの下端部を例示する図である。
【図３】実施形態に係る折り戸ユニットの上端部を例示する断面図である。
【図４】実施形態に係る枠材の上枠を例示する断面図である。
【図５】実施形態に係る枠材の左側の側枠を例示する断面図である。
【図６】実施形態に係る枠材の右側の側枠を例示する断面図である。
【図７】実施形態に係る枠材の下枠を例示する斜視図である。
【図８】実施形態に係る折り戸ユニットを縦方向断面で示す図である。
【図９】第二の実施形態に係る折り戸ユニットの下端部を例示する図である。
【図１０】従来のトイレ用ドアを取り外す場合を例示する図である。
【図１１】従来のトイレ用ドアの開口部に折り戸を取り付ける場合を例示する図である。
【考案を実施するための形態】
【００１８】
図１は、本考案に係る折り戸ユニットを例示するものである。この折り戸ユニットは、トイレ用ドアの開口部３の木枠６に固定するアルミニウム製の枠材１０と、この枠材１０に装着した折り戸本体３０とを備えてなる。アルミニウム製の枠材１０は、開口部３の形状に応じた矩形に成形する。
【００１９】
折り戸本体３０は、予め枠材１０に装着させておき、現場に搬入することが望ましい。作業性がよいからである。別体として搬入し、枠材１０を木枠６に取り付ける過程で折り戸本体３０を枠材１０に装着しても構わない。作業性は悪いが、結果としては同じ品質性能をもつからである。
【００２０】
折り戸本体３０は、例えば扉の略中間にヒンジ（図示せず）を設けて折り畳み可能にしたもので、図２に示すように、その下端部に車輪３１を備える。車輪３１は、座台３２を介して取り付ける。座台３２には、逆Ｕ字状の溝部３４を設ける。
【００２１】
また折り戸本体３０の上端部には、図３に示すように、ガイド用の凹部３６を長手方向に沿って設ける。
【００２２】
図１に戻り、枠材１０は、上枠１１、下枠１５、左右の側枠１８に固定用の複数のビス孔（図示せず）を備える。
【００２３】
上枠１１は、例えば図４に示すように、水平材１１−１と、この水平材１１−１の室内側端縁から上方に向かって略垂直に立ち上げた立上部１１−２と、水平材１１−１の室外側端縁から下方に向かって略垂直に立ち下げた垂下部１１−３とを備え、水平材１１−１には、折り戸本体３０をガイドするための凸部（または凹部）１２を長手方向に沿って設けてある。
【００２４】
上枠１１と折り戸本体３０上端部は、前記図３に示したように、折り戸本体３０の上端部に長手方向に延びるガイド用の凹部（チャンネル材）３６を設けておき、上枠１１の凸部１２を折り戸本体３０の凹部３６に遊嵌させる。ここでいう遊嵌は、折り戸本体３０の開閉がスムーズにできる範囲で、凸部１２と凹部３６が嵌合している状態である。若干の遊びがあってもよいが、がたつくほどの隙間を設けるのは好ましくない。
【００２５】
立上部１１−２は、枠材１０の上枠１１に対して、トイレの室内側から室外方向に向かってネジ止めして固定するものであり、折り戸本体３０の開閉運動による枠材１０のがたつきを防止する。
【００２６】
垂下部１１−３の下端近傍には、樹脂材等からなる緩衝材１３を長手方向に沿って設け、折り戸本体３０の開閉時のがたつきを抑えつつ滑らかな開閉を実現させることが望ましい。
【００２７】
側枠１８は、例えば図５、図６に示すように、木枠６の開口面と室内側面に接する略Ｌ字状の当接面１８−１、１８−２を備え、また折り戸本体３０の左右端面の樹脂等で成形した緩衝材１８−３を備えることが望ましい。緩衝材１８−３は、前記緩衝材１３と同様に、折り戸本体３０の開閉時のがたつきを抑え、滑らかな開閉を実現させる。
【００２８】
下枠１５は、折り戸本体３０の車輪３１を案内するガイドレール部を備える。このガイドレール部は、例えば図７に示すように、水平板材１５−１の適宜箇所から立ち上げた垂直板材１５−２と、この垂直板材１５−２の上端から水平方向に設けた短寸のフランジ部１５−３とを備える。
【００２９】
前記図２にも示したように、フランジ部１５−３は、折り戸本体３０の下端部に設けた座台３２の溝部３４に遊嵌させるものであり、車輪３１の開閉運動時のがたつきを防止する機能を営む。垂直板材１５−２も、溝部３４に入り込んだ状態をとる。なお、図２において符号Ｌは、木枠６の下端面（床面）である。
【００３０】
図８に、トイレ用ドアの開口部３に取り付けた折り戸ユニットを縦方向断面で示す。符号Ｈは把手である。
【００３１】
かかる構成によれば、トイレ用ドアの開口部の木枠６にユニットの枠材を固定することにより、枠材１０に装着した折り戸本体３０を開閉可能に簡単に設置することが出来る。枠材１０を木枠６に取り付けるだけで作業が完了するので、作業時間および作業費用を軽減できる。折り戸は、トイレ用ドアの開口部の木枠６の範囲内で開閉できるので、従来のように手摺りを設置できない箇所が生ずるという、ドアの開閉に伴う制約を受けない。
【００３２】
また、本考案に係る折り戸ユニットは、折り戸本体３０の下部に設けた車輪３１をガイドするフランジ部１５−３を枠材１０の下枠１５に設け、折り戸本体３０の上端に設けた凹部３６をガイドする凸部１２を枠材１０の下枠１１に設けてあるので、折り戸本体３０の開閉時には、上端部も下端部もぶれることなく直線運動を行うことが出来る。緩衝材１３、１８−３も、折り戸本体３０の開閉動作を円滑化させる。
【００３３】
トイレ用ドアの開口部３に段差がある場合にも、例えば図９に示すように、下枠（ガイドレール部）１５は適宜の床面に配設することが出来る。上枠１１および下枠１５と、左右の側枠１８は、適宜のジョイント部材、例えばＬ字状ジョイント部材を介して側枠１８の上端部及び下端部を結合させることが出来る。
【符号の説明】
【００３４】
３  開口部
６  木枠
１０  枠材
１１  上枠
１１−１  水平材
１１−２  立上部
１１−３  垂下部
１２  凸部
１３、１８−３  緩衝材
１５  下枠
１５−１  水平板材
１５−２  垂直板材
１５−３  フランジ部
１８  側枠
１８−１、１８−２  当接面
３０  折り戸本体
３１  車輪
３２  座台
３４  溝部
３６  凹部
Ｈ  把手
Ｌ  下端面（床面）
【図１】
0003177472.tif 000003
【図２】
0003177472.tif 000004
【図３】
0003177472.tif 000005
【図４】
0003177472.tif 000006
【図５】
0003177472.tif 000007
【図６】
0003177472.tif 000008
【図７】
0003177472.tif 000009
【図８】
0003177472.tif 000010
【図９】
0003177472.tif 000011
【図１０】
0003177472.tif 000012
【図１１】
0003177472.tif 000013